(57)【要約】【課題】リアカバーがメス型コネクタハウジングに装着した場合、リアカバー内の電線の固定性を向上させて、電線振動によるメス型コネクタハウジング内の端子接点部の摩耗を防ぐことができるリアカバーを提供する。【解決手段】コネクタハウジング２０に装着されてコネクタハウジング２０から導出される電線Ｗを案内するリアカバー１０に、電線Ｗを収容する電線収容溝１０Ａを設け、電線収容溝１０Ａ内の両壁面１０Ｄ１、１０Ｄ２から電線Ｗに触れる複数の突起１０Ｂ１、１０Ｂ２、１０Ｂ３を交互に千鳥配置形に突出させ、かつ突起１０Ｂ１、１０Ｂ２、１０Ｂ３が電線収容溝１０Ａの壁面１０Ｄの底面１０Ｃ側では壁面からの迫り出しが少なく、壁面の上方に進むにつれて徐々に迫り出しが大きくなる傾斜面に形成した。【選択図】図８
2011090820.tif 000002
【特許請求の範囲】
【請求項１】
コネクタハウジングに装着されて前記コネクタハウジングから導出される電線を案内するリアカバーにおいて、前記電線を収容する電線収容溝を設け、前記電線収容溝内の両壁面から前記電線に触れる突起を複数個交互に突出させたことを特徴とするリアカバー。
【請求項２】
前記複数個の突起をそれぞれ千鳥配置形に突出させたことを特徴とする請求項１記載のリアカバー。
【請求項３】
前記突起が前記電線収容溝の壁面の底面側では前記壁面からの迫り出しが少なく、前記壁面の上方に進むにつれて徐々に迫り出しが大きくなる傾斜面に形成されていることを特徴とする請求項１又は２記載のリアカバー。
【請求項４】
前記リアカバーの後端部を細く形成してテープを巻き易くしたことを特徴とする請求項１〜３のいずれか１項記載のリアカバー。
【請求項５】
内部に装着された端子金具と前記端子金具に接続されて外部に導出された電線とを備えて成るコネクタハウジングと、
前記コネクタハウジングに装着されて前記コネクタハウジングから導出される電線を案内するリアカバーと、
を有するコネクタにおいて、前記リアカバーとして請求項１〜４のいずれか１項記載のリアカバーを用いたことを特徴とするコネクタ。
【発明の詳細な説明】
【技術分野】
【０００１】
本発明は、コネクタハウジングにリアカバーを取付けて電線をリアカバーに沿って案内させるコネクタに関するもので、特にその電線の振れを防止する機能を有するリアカバーとそれを備えたコネクタに関する。
【背景技術】
【０００２】
コネクタハウジングの後側（相手方コネクタとの嵌合側の反対側）から導出された電線をリアカバーを形成する基壁の前側に沿わせることで、電線がリアカバーに案内されるようにしたリアカバー付きのコネクタは知られている（特許文献１参照）。
【先行技術文献】
【特許文献】
【０００３】
【特許文献１】特開２００３−４５５５６号公報
【０００４】
〈特許文献１記載のカバー付コネクタの構成〉
特許文献１記載のカバー付コネクタは、片面に粘着剤が塗布されたテープを用いて、リアカバーの基壁とこの基壁の前側に束ねられた複数の電線とをテープの巻付けにより固定し、複数の電線をリアカバーの基壁に固定するものである。
粘着剤が塗布された面側が内側となるようにしてテープでこのように複数の電線とリアカバーの基壁とを巻くことで、複数の電線をリアカバーの基壁の前側に固定するものである。
【発明の概要】
【発明が解決しようとする課題】
【０００５】
〈特許文献１記載のカバー付コネクタの問題点〉
ところが、特許文献１記載のカバー付コネクタにおいては、リアカバーの基壁とこの基壁の前側に束ねられた複数の電線とが粘着テープに巻付けられている場合に複数の電線がすべて粘着テープにて完全に固定されることが難しいため、粘着テープに接触しない電線は振動で動き易く、振動が長期的に加わると、電線の振動がメス端子の接点部に伝わることにより接点の摩耗が発生する虞があった。
【０００６】
〈本発明の目的〉
本発明は上記欠点を解決するためになされたもので、リアカバー内での電線の固定性の向上を図り、コネクタに振動が加わってもリアカバー内の電線が振動することのないようにし、したがってまた、電線の振動によるコネクタ内の端子接点部の摩耗が生じないようにすることを目的としている。
【課題を解決するための手段】
【０００７】
前記課題を解決するため、本願の第１発明はリアカバーに関するもので、コネクタハウジングに装着されて前記コネクタハウジングから導出される電線を案内するリアカバーにおいて、前記電線を収容する電線収容溝を設け、前記電線収容溝内の両壁面から前記電線に触れる突起を複数個交互に突出させたことを特徴としている。
第２発明は、第１発明のリアカバーにおいて、前記複数個の突起をそれぞれ千鳥配置形に突出させたことを特徴としている。
第３発明は、第１又は第２発明のリアカバーにおいて、前記突起が前記電線収容溝の壁面の底面側では前記壁面からの迫り出しが少なく、前記壁面の上方に進むにつれて徐々に迫り出しが大きくなる傾斜面に形成されていることを特徴としている。
第４発明は、本願第１〜第３発明のいずれかのリアカバーにおいて、前記リアカバーの後端部を細く形成してテープを巻き易くしたことを特徴としている。
第５発明は、内部に装着された端子金具と前記端子金具に接続されて外部に導出された電線とを備えて成るコネクタハウジングと、前記コネクタハウジングに装着されて前記コネクタハウジングから導出される電線を案内するリアカバーと、を有するコネクタにおいて、前記リアカバーとして本願第１〜第４発明のいずれかのリアカバーを用いたことを特徴としている。
【発明の効果】
【０００８】
第１発明によれば、電線収容溝内の両壁面から電線に触れる突起を複数個交互に突出させたので、突起に電線に触れるため振動が加わっても動き難くなってリアカバー内での電線の固定性が向上し、コネクタに振動が加わっても電線の振動によるコネクタ内の端子接点部の摩耗が生じないようになる。
第２発明によれば、複数個の突起をそれぞれ交互に千鳥配置形に突出させたので、リアカバー内での電線の固定性がさらに向上し、電線の振動によるコネクタ内の端子接点部の摩耗が生じないようになる。
第３発明によれば、突起が電線収容溝の壁面の底面側では壁面からの迫り出しが少なく、壁面の上方に進むにつれて徐々に迫り出しが大きくなる傾斜面に形成されているので、いったん電線収容溝に収容された電線が電線収容溝の上部から離脱することを防ぐと同時に、電線接触側面と底面との空間に挟持されることにより電線の上下方向への複数本の振れを規制できる。電線が上方へ離脱し難くなったので、電線押さえのためのカバーが不要となり、電線を電線収容溝へ収容するだけでよいので作業性が良くなる。
第４発明によれば、リアカバーの後端部を細く形成したので、テープが巻き易くなり、かつ接着力も強くなり、剥離し難くなる。
第５発明によれば、コネクタを構成するリアカバーとして第１〜第４発明のいずれかのリアカバーを用いたので、電線の振動によるコネクタ内の端子接点部の摩耗が生じないようになる。
【図面の簡単な説明】
【０００９】
【図１】図１は本発明に係るリアカバー１０をメス型コネクタハウジング２０に装着させるまでの３過程を示す斜視図で、（Ａ）は装着開始直前、（Ｂ）は装着開始直後、（Ｃ）は装着直後を示している。
【図２】図２は、リアカバー１０のメス型コネクタハウジング２０への装着後のリアカバー１０の後端部のテープＴＰ巻き付け処理がなされた状態を示す全体の斜視図である。
【図３】図３は、本発明に係るリアカバー１０を説明するための平面図である。
【図４】図４は、電線収容溝１０Ａの壁面１０Ｄ１、１０Ｄ２に形成される各突起１０Ｂ１〜１０Ｂ３の形状を説明する斜視図で、（Ａ）はリアカバー１０を後部から見た全体図、（Ｂ）は電線収容溝１０Ａの拡大図である。
【図５】図５は、図４の電線収容溝１０Ａの壁面に形成される突起１０Ｂの電線接触側面１０Ｅの形状を説明する図で、（Ａ）は電線収容溝１０Ａの平面図、（Ｂ）は正面図である。
【図６】図６は、電線収容溝１０Ａの壁面に形成される突起１０Ｂ間の寸法とそこに収容される電線Ｗの収容本数が１本の場合の必要な電線径を説明する図で、（Ａ）は突起１０Ｂ間の寸法例を説明する正面図、（Ｂ）は電線Ｗを収容した状態の正面図、（Ｃ）の（イ）は図（Ｂ）の平面図、（Ｃ）の（ロ）は電線ＷＬが（イ）の電線Ｗより太い場合の平面図である。
【図７】図７は、電線Ｗを３本収容したリアカバーの電線収容溝部位の正面図である。
【図８】図８は図７のリアカバーが装着したメスコネクタ全体の平面図である。
【図９】図９は、リアカバー１０がメス型コネクタハウジング２０に装着完了した状態の斜視図である。
【図１０】図１０は、リアカバー１０を後方から見た斜視図で、（Ａ）は全体図、（Ｂ）は（Ａ）の係合手段Ｋの部分の拡大図である。
【図１１】図１１は、メス型コネクタハウジング２０に設けた係止突起２０Ｋを説明するため斜視図で、（Ａ）はメス型コネクタハウジング２０の端子接続部２０Ｓを下側にした状態で相手側コネクタとのコネクタ嵌合側から見た斜視図、（Ｂ）はメス型コネクタハウジング２０の端子接続部２０Ｓを上側にした状態で電線Ｗを導出する電線導出側から見た斜視図である。
【図１２】図１２は、リアカバー１０とメス型コネクタハウジング２０を装着した状態で係止溝１０Ｋと係止突起２０Ｋが係合している様子を説明する図で、図１１（Ａ）の斜視図からオス型コネクタハウジングとの係合部を覆うフード２０Ｆ（図１１）を除去した斜視図である。
【発明を実施するための形態】
【００１０】
以下、電線の固定性の向上により、電線振動による端子接点部の摩耗を確実に防ぐ本発明に係るリアカバーについて、以下に図面を用いて説明する。
【００１１】
図１は本発明に係るリアカバー１０をメス型コネクタハウジング２０に装着させるまでの３過程を示す斜視図で、（Ａ）は装着開始直前、（Ｂ）は装着開始直後、（Ｃ）は装着直後を示している。
【００１２】
〈図１の本発明に係るリアカバー１０の形状〉
図１（Ａ）において、本発明に係るリアカバー１０は、メス型コネクタハウジング２０と装着する側の装着部１０Ｘと、メス型コネクタハウジング２０と装着した際のメス型コネクタハウジング２０から導出される電線Ｗを把持する電線把持部１０Ｙとから成り、装着部１０Ｘと電線把持部１０Ｙの両方の頂部にそれぞれ開口１０Ｗが形成されていて、メス型コネクタハウジング２０との装着の時に邪魔となる電線Ｗを開口１０Ｗを通過させるようにしている。電線把持部１０Ｙ内には電線収容溝１０Ａ（図１（Ｂ）、図３）を設け、その電線収容溝１０Ａの内部に後述する本発明に係る複数の突起１０Ｂをそれぞれ突出位置を異なるように設けることにより、電線収容溝１０Ａを通過する電線をＳ字型に曲げて固定する（図８）ようにしている。
【００１３】
〈図１のメス型コネクタハウジング２０の形状〉
図１（Ａ）において、メス型コネクタハウジング２０は、電線Ｗをそれぞれ接続している３個の端子金具２０Ｔをメス型コネクタハウジング２０の内部に並設された３箇所の端子接続空間（キャビティ）２０Ｃにそれぞれ装着することによって電線Ｗを後方から導出しており、キャビティの反対側開口部からオス型コネクタの接続端子ピンが挿入されることで、最終的にオス型コネクタの接続端子ピンと電線Ｗが接触して電気的接続がなされることになる。
メス型コネクタハウジング２０には係止突起２０Ｋ（後述、図１１）が設けられており、一方、リアカバー１０にもメス型コネクタハウジング２０との装着時にその係止突起２０Ｋと係合する部位に係止溝１０Ｋ（図１０（Ｂ））が形成されている。
【００１４】
〈図１におけるリアカバー１０のメス型コネクタハウジング２０への装着〉
本発明に係るリアカバー１０のメス型コネクタハウジング２０へ装着するためには、図１（Ａ）に示すように、メス型コネクタハウジング２０の後端（電線導出側）に本発明に係るリアカバー１０の前端を対向させる。
次ぎに、図１（Ｂ）に示すように、メス型コネクタハウジング２０の後端から導出している電線Ｗが装着の邪魔にならないように一旦上へ折り曲げた状態で、リアカバー１０をＲ１方向からメス型コネクタハウジング２０に近づける。
そして、図１（Ｃ）に示すように、リアカバー１０がメス型コネクタハウジング２０に接触し、さらに押し込むことでメス型コネクタハウジング２０の係止突起２０Ｋがリアカバー１０の係止溝１０Ｋに係合して両者の装着が完了する。このとき、電線Ｗは上へ折り曲げた状態でリアカバー１０の装着部１０Ｘと電線把持部１０Ｙの開口１０Ｗを通ってリアカバー１０の後端に達するので、電線Ｗは装着の障害にならない。
その後、一旦上へ折り曲げて退避させていた電線Ｗを元に戻し、後述する本発明に係る電線収容溝１０Ａ内に電線Ｗを指で押し込み、電線Ｗを突出位置の異なる複数の突起１０Ｂに添わして通過させることで電線ＷをＳ字型に曲げて固定する（図８）。
最後に、リアカバー１０の後端部にテープＴＰを図２のように巻き付けて開口１０Ｗを塞いでリアカバー１０のメス型コネクタハウジング２０への装着は完了する。なお、本発明により、リアカバー１０の後端部にテープＴＰを巻き易くするような工夫がなされている。
【００１５】
〈テープＴＰの巻き付け〉
図２は、リアカバー１０のメス型コネクタハウジング２０への装着後のリアカバー１０の後端部のテープＴＰ巻き付け処理がなされた状態を示す全体の斜視図である。
図２において、装着後のリアカバー１０の後端部にテープＴＰを巻いて、開口１０Ｗを塞いでいる。そのため、リアカバー１０の後端部１０Ｆ（図３）を本発明により細く形成して、テープＴＰを巻き易くし、作業性の向上を図っている。
【００１６】
〈リアカバー１０の電線収容溝１０Ａの形状〉
図３は、本発明に係るリアカバー１０を説明するための平面図である。
図３において、リアカバー１０は、メス型コネクタハウジング２０と装着する装着部１０Ｘと、メス型コネクタハウジング２０から導出される電線Ｗを通過させる電線把持部１０Ｙとを備えている。電線把持部１０Ｙ内には電線Ｗを通過させるための電線収容溝１０Ａが設けられている。電線収容溝１０Ａは底面１０Ｃ（図４（Ａ））とその底面１０Ｃの両端から垂直に起立した両壁面１０Ｄ１、１０Ｄ２（図４（Ａ））とから成り、その両壁面１０Ｄ１、１０Ｄ２からはそれぞれ内部空間に向かって迫（せ）り出すように突出する突起１０Ｂが互い違いに複数個（図３では１０Ｂ１、１０Ｂ２、１０Ｂ３の３個）が形成されている。第１の突起１０Ｂ１と第３の突起１０Ｂ３は一方の壁面１０Ｄ１に互いに所定の間隔をあけて内部空間に向けて形成され、他方の壁面１０Ｄ２に第２の突起１０Ｂ２が突起１０Ｂ１と突起１０Ｂ３との中間位置に内部空間に向けて形成されている。
【００１７】
〈突起１０Ｂの形状〉
図４は、電線収容溝１０Ａの壁面１０Ｄ１、１０Ｄ２に形成される各突起１０Ｂ１〜１０Ｂ３の形状を説明する斜視図で、（Ａ）はリアカバー１０を後部から見た全体図、（Ｂ）は電線収容溝１０Ａの拡大図である。
両図において、突起１０Ｂ１と突起１０Ｂ１に対向する対向壁面１０Ｄ２とで電線Ｗが挟持されることにより、電線Ｗが固定される。
また、上述したように複数個（図で３個）の突起１０Ｂ１を両方の壁面１０Ｄ（図４（Ａ））の一方の壁面１０Ｄ１に形成したら、次の隣の突起１０Ｂ２は対向壁面１０Ｄ２に形成し、さらに次の隣の突起１０Ｂ３はこちらの壁面１０Ｄ１に形成するといった千鳥配置形に形成する（図３）ことで、ここに配置収容された電線Ｗが電線収容溝１０Ａ内でＳ字型に曲がる（図５（Ａ）、図８）ようにしており、これによって電線Ｗの左右方向への振れを規制している。
更に、突起１０Ｂに設けられた電線接触側面１０Ｅ（図４（Ｂ））を図のように下の底面１０Ｃ側から上方に向かうにしたがって電線収容溝の内部空間に向かって次第に迫（せ）り出すような斜面（図５（Ｂ））に形成している。このように斜面にすることで、いったん電線収容溝１０Ａに収容された電線Ｗが電線収容溝１０Ａの上部から離脱することを防ぐと同時に、電線接触側面１０Ｅと底面１０Ｃとの空間に挟持されることにより電線Ｗの上下方向への複数本の振れを規制している。
【００１８】
〈突起１０Ｂの電線接触側面１０Ｅの形状〉
図５は、図４の電線収容溝１０Ａの壁面に形成される突起１０Ｂの電線接触側面１０Ｅの形状を説明する図で、（Ａ）は電線収容溝１０Ａの平面図、（Ｂ）は正面図である。
前述した突起１０Ｂ１〜１０Ｂ３の千鳥配置形によって、電線収容溝１０Ａ内に配置収容された電線Ｗは、図５（Ａ）に点線で示すようにＳ字型に曲がるようになり、これによって電線Ｗの左右方向への振れを規制している。
更に、図５（Ｂ）のように突起１０Ｂに設けられた電線接触側面１０Ｅを底面１０Ｃから上方に向かうにしたがって電線収容溝の内部空間に向かって次第に迫り出すような斜面に形成している。このように斜面にすることで、電線収容溝１０Ａに収容された電線Ｗが電線収容溝１０Ａの上部から離脱することを防ぐと同時に、電線Ｗが電線接触側面１０Ｅと底面１０Ｃとの空間に挟持されることにより電線Ｗの上下方向への複数本の振れを規制している。このような電線収容溝１０Ａに電線を収容する場合、収容される電線Ｗが１本の場合と複数本の場合では、電線の直径は次のように異なる。
【００１９】
〈電線Ｗの収容本数が１本の場合の必要電線径〉
図６は、電線収容溝１０Ａの壁面に形成される突起１０Ｂ間の寸法とそこに収容される電線Ｗの収容本数が１本の場合の必要な電線径を説明する図で、（Ａ）は突起１０Ｂ間の寸法例を説明する正面図、（Ｂ）は電線Ｗを収容した状態の正面図、（Ｃ）の（イ）は図（Ｂ）の平面図、（Ｃ）の（ロ）は電線ＷＬが（イ）の電線Ｗより太い場合の平面図である。
電線収容溝１０Ａの壁面に形成される突起１０Ｂ間の寸法が、突起１０Ｂの最上部間の正面視での距離Ｔ１が０．６０ｍｍで、突起１０Ｂの最下部間の正面視距離Ｔ２が２．００ｍｍの場合、図６（Ｂ）のように１本の電線Ｗが確実に固定されるために必要とする電線径Φは直径１．６０ｍｍ以上である。
このように電線径が直径１．６０ｍｍならば、図６（Ｃ）の（イ）のように、電線ＷはＳ字型には曲がらなくても、１０Ｅ（図５（Ｂ））面に挟持されて固定することができる。
また、電線径の直径が１．６０ｍｍ以上ならば、図６（Ｃ）の（ロ）のように、電線ＷＬはＳ字型に曲がって固定される。
【００２０】
〈電線Ｗの収容本数が複数本の場合の必要電線径〉
図７は、電線Ｗを３本収容したリアカバーの電線収容溝部位の正面図、図８は図７のリアカバーが装着したメスコネクタ全体の平面図である。
突起１０Ｂ間の寸法が、突起１０Ｂの最上部間の正面視で距離Ｔ１が０．６０ｍｍで、突起１０Ｂの最下部間の正面視距離Ｔ２が２．００ｍｍの場合、３本の電線が確実に固定されるために必要とする電線径Φは直径１．２０ｍｍ以上である。
電線径が直径１．２０ｍｍならば、同じ１０Ｅ（図５（Ｂ））面に挟持され、固定することができる。
電線径の直径が１．２０ｍｍ以下の場合で３本収容した場合、電線Ｗと１０Ｅ面と隙間ができてしまい、固定されなくなってしまう。
また、電線径Φの直径が１．２０ｍｍ以上なら、図８の電線Ｗのように電線ＷＬはＳ字型に曲がって固定される。
【００２１】
〈リアカバー１０とメス型コネクタハウジング２０の係合手段〉
ここで、リアカバー１０とメス型コネクタハウジング２０の係合部位について図９〜図１２を用いて説明する。
図９は、リアカバー１０がメス型コネクタハウジング２０に装着完了した状態の斜視図で、図１（Ｃ）のリアカバー１０とメス型コネクタハウジング２０とを裏返しにした図である。本明細書で用いている「左右」方向と「上下」方向をここで説明している。３個の端子金具２０Ｔが並ぶ方向が左右方向で、それと垂直な方向が上下方向である。
リアカバー１０は図１０〜図１２に示す係合手段によって装着が行われている。
【００２２】
〈係合手段〉
リアカバー１０とメス型コネクタハウジング２０にはそれぞれ係止溝１０Ｋと係止突起２０Ｋが次のように形成されており、リアカバー１０とメス型コネクタハウジング２０を装着した状態で係止溝１０Ｋと係止突起２０Ｋが係合して簡単には外れないようになっている。
【００２３】
《リアカバー１０の係止溝１０Ｋ》
図１０は、リアカバー１０を後方から見た斜視図で、（Ａ）は全体図、（Ｂ）は（Ａ）の係合手段Ｋの部分の拡大図である。
リアカバー１０の上下方向で電線収容溝１０Ａの反対側の左右方向両側の所定部位に係止溝１０Ｋが形成されている。
【００２４】
《メス型コネクタハウジング２０の係止突起２０Ｋ》
図１１は、メス型コネクタハウジング２０に設けた係止突起２０Ｋを説明するための斜視図で、（Ａ）はメス型コネクタハウジング２０の端子接続部２０Ｓを下側にした状態で相手側コネクタとのコネクタ嵌合側から見た斜視図、（Ｂ）はメス型コネクタハウジング２０の端子接続部２０Ｓを上側にした状態で電線Ｗを導出する電線導出側から見た斜視図である。
両図において、リアカバー１０とメス型コネクタハウジング２０とが装着した状態で、リアカバー１０に形成されている係止溝１０Ｋに対向するメス型コネクタハウジング２０の部位に係止突起２０Ｋが形成されている。
【００２５】
《係止溝１０Ｋと係止突起２０Ｋの係合》
図１２は、リアカバー１０とメス型コネクタハウジング２０を装着した状態で係止溝１０Ｋと係止突起２０Ｋが係合している様子を説明する図で、図１１（Ａ）の斜視図からオス型コネクタハウジングとの係合部を覆うフード２０Ｆ（図１１）を除去した斜視図である。
メス型コネクタハウジング２０に形成されている係止突起２０Ｋがリアカバー１０に形成されている係止溝１０Ｋに係合して、リアカバー１０がメス型コネクタハウジング２０から外れないようになっている。
なお、装着を積極的に外すには、リアカバー１０とメス型コネクタハウジング２０を互いに反係合の方向に強く引くことで、係止突起２０Ｋに形成されている緩やかな傾斜面がリアカバー１０の係止溝１０Ｋから引き出てくるので、係合が外れ、リアカバー１０とメス型コネクタハウジング２０との装着は解除される。
【００２６】
以上のように、リアカバー１０とメス型コネクタハウジング２０が装着した場合、リアカバー１０内の電線が振動しても電線の固定性の向上により動くことのないようにして電線振動によるメス型コネクタハウジング２０内の端子接点部の摩耗を確実に防ぐことができる。
また、リアカバー後端部を細くしたのでテープを巻き易くし、作業性を向上できるようになる。
【符号の説明】
【００２７】
１０  リアカバー
１０Ａ  電線収容溝
１０Ｂ、１０Ｂ１、１０Ｂ２  突起
１０Ｃ  底面
１０Ｄ、１０Ｄ１、１０Ｄ２  壁面
１０Ｋ  係止溝
１０Ｗ  開口
１０Ｘ  装着部
１０Ｙ  電線把持部
２０  メス型コネクタハウジング
２０Ｃ  端子接続空間（キャビティ）
２０Ｋ  係止突起
２０Ｔ  端子金具
Ｗ  電線
ＷＬ  太い電線
ＴＰ  テープ
【図１】
2011090820.tif 000003
【図２】
2011090820.tif 000004
【図３】
2011090820.tif 000005
【図４】
2011090820.tif 000006
【図５】
2011090820.tif 000007
【図６】
2011090820.tif 000008
【図７】
2011090820.tif 000009
【図８】
2011090820.tif 000010
【図９】
2011090820.tif 000011
【図１０】
2011090820.tif 000012
【図１１】
2011090820.tif 000013
【図１２】
2011090820.tif 000014